(57)【要約】      （修正有）【課題】迅速かつ確実にループ状のつまみを作成することが可能なテープつまみ作成部の構造を簡素化し、軽量、小型の手持ち式テープカッターを提供する。【解決手段】テープカッター本体１の左右一対の側板２、２間に配置されたテープ保持部５にロール状の粘着テープＴを回転自在に支持するテープカッターであって、平面状のテープセット面１１aを有するベース板１１と、上部に前記粘着テープＴを切断する鋸刃板１２を備え、前記粘着テープＴの切断位置から前記粘着テープＴの切断個所を前記テープセット面１１aの前記粘着テープＴの粘着面に接着させる接着位置に向かい移動可能な可動板１４と、よりなるループ状つまみ作成部１０を、前記テープ保持部５より後方の前記側板２、２間に配置した。【選択図】図１
2014015317.tif 000002
【特許請求の範囲】
【請求項１】
テープカッター本体の左右一対の側板間に配置されたテープ保持部にロール状の粘着テープを回転自在に支持するテープカッターであって、
平面状のテープセット面を有するベース板と、
上部に前記粘着テープを切断する鋸刃片を備え、前記粘着テープの切断位置から前記粘着テープの切断個所を前記テープセット面のテープの粘着面に接着させる接着位置に向かい移動可能な可動板と、よりなるループ状つまみ作成部を、
前記テープ保持部より後方の前記側板間に配置したことを特徴とする手持ち式テープカッター。
【請求項２】
前記ループ状つまみ作成部の前記鋸刃片の両側に支軸を突出し、この支軸を前記可動板の側面に設けたボスが支持することにより、前記鋸刃片が前記可動板の上部で回動自在になるとともに、前記ボスを前記側板に穿設する円弧状開口に前後移動可能に嵌合したことを特徴とする請求項１に記載の手持ち式テープカッター。
【請求項３】
前記ループ状つまみ作成部の前記可動板の下部に回動軸を設け、この回動軸の両端が前記側板間により支持されたことを特徴とする請求項２に記載の手持ち式テープカッター。
【請求項４】
前記テープカッター本体の左右一対の前記側板の一方の側板を前記テープ保持部を配置した前側板と、前記ループ状つまみ作成部を配置した後側板とに分割し、前記前側板を前記後側板に対して着脱可能に取付けたことを特徴とする請求項１に記載の手持ち式テープカッター。
【発明の詳細な説明】
【技術分野】
【０００１】
この発明は、一面に粘着剤が塗布された粘着テープにつまみを作成するテープのつまみ作成部を備える軽量、小型の手持ちテープカッターに関する。
【背景技術】
【０００２】
一面に粘着剤が塗布されたテープは、家庭用、事務用、商業用、工業用等の各種用途に広く汎用されている。特に、商店・百貨店・スーパー等での買物の商品包装の封、書類・図面等の一時的位置決め、ポスター・表等の掲示等であり、これらの使用において、一旦粘着されたテープを用済み後に引剥がしたいことがしばしば発生する。
【０００３】
このような場合、テープの端部に粘着剤が露出していないつまみを設けこれを引っ張ることにより、引剥しが容易に可能となるので、従来からこのつまみを形成するために各種の技術があった。
【先行技術文献】
【特許文献】
【０００４】
【特許文献１】特開２００１−１９９６１９号公報
【特許文献２】特開２００６−２４８７７６号公報
【発明の概要】
【発明が解決しようとする課題】
【０００５】
ところで、従来のつまみを形成するために各種の技術では、一面に粘着剤が塗布されたテープを切断したテープの切断刃を前後方向に移動させることにより、切断部を折り返し粘着面に接着させてループ状のつまみを作成する構造になっている。テープの切断刃を前後方向に移動させるためテープカッターが大型化し、しかも、移動する切断刃が手、指に接触し易くなり、小型で安全な手持ちテープカッターは得られなく、また、テープ切断刃を切断位置からループ状のつまみを作る接着位置へ移動する際に、テープが下側に落ち込んでループ状のつまみを作るので、切断面の接着面積が少なく、つまみがループ状にならないことがあった。
【０００６】
この発明は、かかる実情に鑑みてなされたもので、迅速かつ確実にループ状のつまみを作成することが可能なテープつまみ作成部の構造を簡素化し、軽量、小型の手持ち式テープカッターを提供することを目的としている。
【課題を解決するための手段】
【０００７】
前記課題を解決し、かつ目的を達成するために、この発明は、以下のように構成した。
【０００８】
請求項１に記載の発明は、テープカッター本体の左右一対の側板間に配置されたテープ保持部にロール状の粘着テープを回転自在に支持するテープカッターであって、
平面状のテープセット面を有するベース板と、
上部に前記粘着テープを切断する鋸刃片を備え、前記粘着テープの切断位置から前記粘着テープの切断個所を前記テープセット面のテープの粘着面に接着させる接着位置に向かい移動可能な可動板と、よりなるループ状つまみ作成部を、
前記テープ保持部より後方の前記側板間に配置したことを特徴とする手持ち式テープカッターである。
【０００９】
請求項２に記載の発明は、前記ループ状つまみ作成部の前記鋸刃片の両側に支軸を突出し、この支軸を前記可動板の側面に設けたボスが支持することにより、前記鋸刃片が前記可動板の上部で回動自在になるとともに、前記ボスを前記側板に穿設する円弧状開口に前後移動可能に嵌合したことを特徴とする請求項１に記載の手持ち式テープカッターである。
【００１０】
請求項３に記載の発明は、前記ループ状つまみ作成部の前記可動板の下部に回動軸を設け、この回動軸の両端が前記側板間により支持されたことを特徴とする請求項２に記載の手持ち式テープカッターである。
【００１１】
請求項４に記載の発明は、前記テープカッター本体の左右一対の前記側板の一方の側板を前記テープ保持部を配置した前側板と、前記ループ状つまみ作成部を配置した後側板とに分割し、前記前側板を前記後側板に対して着脱可能に取付けたことを特徴とする請求項１に記載の手持ち式テープカッターである。
【発明の効果】
【００１２】
前記構成により、この発明は、以下のような効果を有する。
【００１３】
請求項１に記載の発明では、テープカッター本体の左右一対の側板間に配置されたテープ保持部にロール状の粘着テープを回転自在に支持するテープカッターであって、テープ保持部より後方のテープカッター本体の左右一対の前記側板間に、平面状のテープセット面を有するベース板と、上部に前記粘着テープを切断する鋸刃片を備え、前記粘着テープの切断位置から前記粘着テープの切断個所を前記テープセット面の前記粘着テープの粘着面に接着させる接着位置に向かい移動可能な可動板と、よりなるループ状つまみ作成部を、前記テープ保持部より後方の前記側板間に配置したことで、前記粘着テープの切断端にループ状のつまみを作成するテープつまみ作成部の部品点数が少なくなり、構造が簡素化し、軽量、小型の手持ちのテープカッターができる。
【００１４】
また、ベース板の両側の前記側板により切断位置と接着位置間を移動する鋸刃片の両側が覆われ、前記鋸刃板に触れることに注意を払うことなくつまみを作成することができるとともに、前記可動板や前記鋸刃片をベース板によって保護し、前記可動板や前記鋸刃板の移動が異物によって阻止されることを防ぐことができる。
【００１５】
請求項２に記載の発明では、前記ループ状つまみ作成部の前記鋸刃片の両側に支軸を突出し、この支軸を前記可動板の側面に設けたボスが支持することにより、前記鋸刃片が前記可動板の上部で回動自在になるとともに、前記ボスを前記側板に穿設する円弧状開口に前後移動可能に嵌合したことで、前記鋸刃片の先端部をテープセット面の後端縁に対して上方に位置させることになり、テープの切断部を、テープセット面の後方位置のテープに接着させて迅速かつ確実にループ状のつまみを作成することができる。
【００１６】
請求項３に記載の発明では、前記ループ状つまみ作成部の前記可動板の下部に回動軸を設け、この回動軸の両端が前記側板間により保持されたことで、前記側板間の間隔を一定に保つことができ、前記可動板の移動が円滑になり、前記可動板が接着位置から切断位置へ迅速に移動でき、前記鋸刃片の先端部がテープの切断部から剥離し、前記鋸刃片の先端部を立てた状態の切断位置へ復帰する。
【００１７】
請求項４に記載の発明では、前記テープカッター本体の左右一対の前記側板の一方の側板を前記テープ保持部のある前側板と、前記ループ状つまみ作成部のある後側板とに分割し、前記前側板を前記後側板に対して着脱可能に取付けたので、粘着テープを使い終わると前記後側板から前記前側板を取り外せば、前記粘着テープを容易に交換することができる。
【図面の簡単な説明】
【００１８】
【図１】手持ち式テープカッターの全体構成を示す斜視図である。
【図２】手持ち式テープカッターの組立て状態を示す斜視図である。
【図３】手持ち式テープカッターのループ状つまみ部の斜視図である。
【図４】手持ち式テープカッターのループ状つまみ部の正面図である。
【図５】図４のＡ−Ａ線の断面図である。
【図６】テープをループ状にする状態を説明する図である。
【発明を実施するための形態】
【００１９】
以下、この発明の手持ち式テープカッターの実施の形態について説明する。
この発明の実施の形態は、発明の最も好ましい形態を示すものであり、この発明はこれに限定されない。
【００２０】
この実施の形態の手持ち式テープカッターのテープカッター本体を、図１乃至図６に基づいて説明する。図１はテープカッター本体の全体構成を示す斜視図、図２はテープカッター本体の分割した状態を示す斜視図、図３はテープのつまみ作成部の斜視図、図４はテープのつまみ作成部の正面図、図５は図４のＡ−Ａ線の断面図、図６はテープをループ状にする状態を説明する図である。
【００２１】
この実施の形態のテープカッター本体１はプラスチック製の左右一対の側板２、２からなり、この側板２、２間に一面に粘着剤が塗布されたロール状の粘着テープTを回転自在に支持するテープ保持部５を配置する。前記テープ保持部５の後方の左右一対の前記側板２、２間には、前記粘着テープTの切断端に折り返しを形成するループ状つまみ作成部１０を配置する。
【００２２】
左右一対の前記側板２、２の一方の側板２が、前記テープ保持部５が配置された前側板２aと、前記ループ状つまみ作成部１０が配置された後側板２bとに分割される。
【００２３】
前記前側板２aの下部に設けた突出ピン３を前記後側板２bの下部に開口した係合孔４に差し込むとともに、右側の前記側板２の前部に形成した前記保持部５の円筒を左側の前記側板２の前部に形成した前記保持部５の円筒に嵌合させて、前記前側板２aが前記後側板２bに対して着脱可能に組付けられ、前記テープ保持部５に支持された粘着テープTの交換ができるようになる。
【００２４】
前記テープのつまみ作成部１０は、平面状のテープセット面１１ａを有し、左右一対の前記側板２、２を互いに連結するベース板１１と、前記テープセット面１１ａの後端縁に対して上方位置に移動可能な鋸刃片１２と、前記鋸刃片１２を回動可能に保持し接着位置と切断位置に移動可能に配置される可動板１４と、前記可動板１４を切断位置に位置決める規制板１８と、前記鋸刃片１２を常に切断位置に付勢する付勢手段１３とを備える。
【００２５】
前記鋸刃片１２は打ち抜き板金材よりなり、前記粘着テープTを所定長さに切断するため、図４及び図５に示すように第１折り曲げ面１２bと、第２折り曲げ面１２ｃとを有し、先端１２aが鋸状に形成され、この先端１２ａと反対側に基端１２ｄが前記ベース板１１との間隔に応じた形状になっている。
【００２６】
前記第２折り曲げ面１２ｃの両側部には、打ち抜き板金を筒状もしくは「く」の字に曲げて支軸１２ｅ，１２fが一体に形成され、一方の支軸１２ｆの根元が切り欠１２gかれている。
なお、前記支軸１２ｅ，１２fは、前記第２折り曲げ面１２ｃと別体に形成し、第２折り曲げ面１２ｃに固着してもよい。
【００２７】
前記可動板１４の上端の角部に沿うように第２折り曲げ面１２ｃを設置し、
前記可動板１４の両側面にボス１５を設け、この第２折り曲げ面１２ｃに突出した前記支軸１２ｅ、１２fが前記可動板１３の両側面に設けた前記ボス１５に支持され、前記鋸刃片１２を前記可動板１４の上部に回動自在にする。
【００２８】
前記可動板１４の前記ボス１５は、左右一対の前記側板２の後部に穿設する円弧状開口１６に前後移動可能に嵌合され、さらに前記可動板１４の下端に設けた回動軸１７が左右一対の前記側板２の後部に支持される。
【００２９】
前記鋸刃片１２を前記可動板１４の方向に押されるように前記鋸刃片１２と前記可動板１４との間に介在した前記付勢手段１３は、コイルスプリング２０で構成される。この前記コイルスプリング２０は、前記支軸１２fの根元の切り欠１２gに装着され、前記コイルスプリング２０の一端を可動板１４に、他端を鋸刃片１２に係止し、前記コイルスプリング２０の付勢力により、鋸刃片１２の先端１２ａに対して反対側の基端１２ｄがベース板１１に設けたストッパー１９に当接する。
【００３０】
前記鋸刃片１２の前記基端１２ｄが前記ストッパー１９により上方への移動が規制されることにより、前記鋸刃片１２と可動板１４とを前記コイルスプ  リング２０により常に切断位置の方向へ付勢される。    
前記可動板１４は左右一対の前記側板２間の下部に横架した規制板１８に当接し、この規制板１８によって可動板１４が切断位置に位置決めされる。
【００３１】
このように、切断位置と接着位置間を移動する前記鋸刃片１２の両側は左右一対の前記側板２の後部で覆われることで、前記鋸刃片１２に触れることに注意を払うことなくつまみを作成することができる。また、前記可動板１４や前記鋸刃片１２を左右一対の前記側板２の後部によって保護され、前記可動板１４や前記鋸刃片１２の可動が異物により阻止されることを防ぐことができる。
【００３２】
前記テープのつまみ作成部１０を用いて粘着テープＴにループ状のつまみを作成する場合には、図６に示すように、テープカッター本体１のテープ保持部５から粘着テープＴを引き出し、テープＴを切断位置に位置する鋸刃片１２によって切断する（図６（ａ））。
【００３３】
この切断は、鋸刃片１２の先端１２ａと反対側の基端１２ｄをストッパー１９に当接し、可動板１４は切断位置にして鋸刃片１２の先端１２ａを立てた状態であり、テープカッター本体１から引き出した粘着テープＴの粘着面Ｔｂをベース板１１のテープセット面１１ａに接着させるとともに、鋸刃片１２の先端１２ａで切断する。
【００３４】
そして、可動板１４を指によって押すなどによってベース板１１に近接させると、この可動板１４を接着位置に移動させるに従い鋸刃片１２が付勢手段１３の付勢力に抗して鋸刃片１２の基端１２ｄがストッパー１９の下方にスライドし、鋸刃片１２の先端１２ａを立てた状態から支持軸１２ｅ、１２fを支点にして回転し、鋸刃片１２の先端１２ａをテープセット面１１ａの後端縁に対して上方に位置するように移動させる（図６（ｂ））。
【００３５】
このように可動板１４をベース板１１の方向へ移動させ、鋸刃片１２の基部１２ｄがストッパー１９の下方にスライドして移動し、鋸刃片１２の基端１２ｄがストッパー１９に当り、さらに可動板１４を移動させると鋸刃片１２の中央部が押されるこれにより、鋸刃片１２は、先端１２aがベース板１１のテープセット面１１ａに近づくように回転する。
【００３６】
このとき、粘着テープＴがループ状になり、鋸刃片１２の先端に付着している粘着テープＴの粘着面Ｔｂがテープセット面１１ａに付着している部分の上方位置から粘着テープＴの粘着面Ｔｂに接着し、さらに鋸刃片１２の回転により先端１２aに接着している粘着テープＴの粘着面Ｔｂが接着し、ループ状のつまみＴｃを作成する（図６（ｃ））。
【００３７】
この状態で、指などによって可動板１４を接着位置に位置させている力を解除すると、付勢手段１５の付勢力により鋸刃片１２が逆方向に支持軸１２ｅ、１２ｆを支点にして回転し、鋸刃片１２の基端１２ｄがストッパー１９の下方を逆方向へスライドして可動板１４を接着位置から切断位置へ移動する。これにより、鋸刃片１２の先端１２ａが粘着テープＴの切断部Ｔａから剥離し、鋸刃片１２の先端１２ａを立てた状態の切断位置へ復帰する（図６（ｄ））。
【００３８】
この鋸刃片１２が回転して切断位置に復帰した状態では、粘着テープＴの粘着面Ｔｂがテープセット面１１ａに接着しており、鋸刃片１２が切断部Ｔａの粘着面Ｔｂから離間し、粘着テープＴがループ状になりつまみＴｃが形成される。
【００３９】
このとき、付勢手段１３の付勢力により鋸刃片１２を接着位置から離間させる方向に付勢しており、鋸刃片１２の先端１２ａが粘着テープＴの切断部Ｔａから離間して切断位置に復帰し、可動板１４が規制板１８により切断位置に保持されていることで（図６（ｄ））、ループ状のつまみＴｃを摘み粘着テープＴをテープカッター本体１から引き出して鋸刃片１２により切断することができる。
【００４０】
このように、簡単な操作で、鋸刃片１２の先端１２ａをテープセット面１１ａの後端縁に対して上方に位置させ、粘着テープＴの切断部Ｔｂを、テープセット面１１ａの後方位置のテープＴに接着させ、迅速かつ確実にループ状のつまみＴｃを作成することができる。
【００４１】
この実施の形態では、可動板１４を指によって押すなどによってベース板１１に近接させるが、粘着テープＴの切断部Ｔａと鋸刃片１２の先端１２ａと共に可動板１４を指によって押すなどによってベース板１１に近接させることが好ましく、メンディングテープのような硬くて張りのある粘着テープでも安定してループ状のつまみを作成することができる。また、鋸刃片１２の支持軸１２ｇ、１２ｈを支点に鋸刃板１２が回転可能に設けられており、粘着テープＴの先端部と鋸刃片１２とが可動板１４と共に押される際に回転して鋸刃片１２の鋸刃が押した指よりも先に離れて逃げ、指に尖った刃が当たる感触が緩和される。
【００４２】
この実施の形態のテープのつまみ作成部１０の構造を簡素化し、テープカッター本体の収納部からテープを引き出し、テープのつまみ作成部によって簡単な構造で、迅速かつ確実にループ状のつまみを作成することができる手持ちのテープカッターを得ることができる。
【産業上の利用可能性】
【００４３】
迅速かつ確実にループ状のつまみを作成することが可能なテープつまみ作成部の構造を簡素化し、軽量、小型の手持ち式テープカッターを提供する。
【符号の説明】
【００４４】
１  テープカッター本体
２  側板
２a  前側板
２b  後側板
３  突出ピン
４  係合孔
５  テープ保持部
１０  テープのつまみ作成部
１１  ベース板
１１ａ  テープセット面
１２  鋸刃片
１２a  鋸刃片の先端
１２b  第１折り曲げ面
１２c  第２折り曲げ面
１２d  鋸刃片の基端
１２e,１２f  支軸
１２g 切り欠
１３  付勢手段
１４  可動板
１５  可動板のボス
１６  円弧状開口
１７  回動軸
１８  規制板
１９  ストッパー
２０  コイルスプリング
Ｔ  テープ
Ｔａ  テープＴの切断部
Ｔｂ  テープＴの粘着面
Ｔｃ  テープＴのつまみ
【図１】
2014015317.tif 000003
【図２】
2014015317.tif 000004
【図３】
2014015317.tif 000005
【図４】
2014015317.tif 000006
【図５】
2014015317.tif 000007
【図６】
2014015317.tif 000008